(57)【要約】  【課題】  挿入軸部５の係合孔部３への挿入操作力の軽減を図れるうえに、挿入軸部５の抜け止め機能を確保し得ながら挿入軸部５の係止突部９のピッチの縮小化、挿入軸部５の軸長の短縮化を図れる合成樹脂製結び具を提供する。  【解決手段】  結び具本体２の挿入軸部５に等間隔に設けられる円錐形状の係止突部９はそれぞれ、割溝部１１によって円周方向に数等分に分割する形に形成されて、複数個の分割係止突部１２と割溝部１１からなる。一方、挿入軸部５が挿入される係合孔部３の内周には、先端面に分割係止突部１２の段部１０が衝当係合する係合面１６が形成された弾性変形自在な複数個の係合爪片１３が環状に所定間隔おきに配列される。挿入軸部５を係合孔部３に挿入すると、分割係止突部１２がこれに向き合う係合爪片１３を押し拡げながら通過して段部１０に係合爪片１３の係合面１６を係合するが、割溝部１１はこれに向き合う係合爪片１３を押し拡げることなく擦り抜ける。【選択図】      図９
2005138880.tif 000002
【特許請求の範囲】
【請求項１】
結び具本体の一端部に係合孔部を有するヘッド部を、他端部に前記係合孔部に挿入される挿入軸部をそれぞれ設けており、前記挿入軸部の外周に、該挿入軸部の先端に向かって先細状でかつ後端面に段部を有する円錐形状の係止突部が複数個、軸方向前後に等間隔に並べて設けられ、前記係合孔部の内周に、先端面に前記係止突部の段部が衝当係合する係合面が形成された弾性変形自在な複数個の係合爪片が環状に所定間隔おきに配列されている合成樹脂製結び具において、
前記係止突部は、挿入軸部の外周面一部を露出し且つ前記係合爪片の一つが挿通可能な幅を有する形の割溝部によって円周方向に数等分に分割する形に形成されて、複数個の分割係止突部と割溝部からなり、軸方向前後に隣接する前側の係止突部の分割係止突部及び割溝部と後ろ側の係止突部の分割係止突部及び割溝部との配置関係において前側の分割係止突部の後方に後ろ側の割溝部が、前側の割溝部の後方に後ろ側の分割係止突部がそれぞれ設けられる配置関係に設定されていることを特徴とする、合成樹脂製結び具。
【発明の詳細な説明】
【技術分野】
【０００１】
本発明は、商品や荷物等の対象物にワンタッチで結び付けられる合成樹脂製結び具に関する。
【背景技術】
【０００２】
この種の合成樹脂製結び具として、例えば、図１０、図１１に示すような荷物を封緘するための封緘具が提案されている（例えば、特許文献１参照）。この封緘具は、合成樹脂製の細い紐状のバンド部２０の一端部に表示札２１及び係合孔部２２を有するヘッド部２３を、他端部に係合孔部２２に挿入される挿入軸部２４をそれぞれ一体に形成している。挿入軸部２４の外周には、該挿入軸部２４の先端に向けて先細状である円錐形状の係止突部２５と、挿入軸部２４の外周面全周を露出させる全露出軸部２６が軸方向に交互に並べて設けてある。一方、係合孔部２２の内部には、先端面に係止突部２５の段部２７が衝当係合する係合面２８を有する弾性変形自在な係合爪片２９が複数個環状に配列されている。
【０００３】
かくして、図１１に示すように、挿入軸部２４が係合孔部２２に挿入されると、係止突部２５が複数個の係合爪片２９の全てを一斉に押し拡げて通過した後、係合爪片２９が弾性復元作用で係合面２８を係止突部２５の段部２７に衝当係合するとともに、係合爪片２９の先端部２９ａの内面を全露出軸部２６の外周面に面接触状に当接するようにしてある。このように、係合爪片２９の係合面２８が係止突部２５の段部２７に衝当係合するとともに、係合爪片２９の先端部２９ａの内面が全露出軸部２６の外周面に面接触状に弾性接当することにより、係止突部２５と係合爪片２９とが確実に係合して挿入軸部２４が反挿入方向に抜け出るのを確実に防止できる。
【０００４】
【特許文献１】特開平１１−２９２１２９号公報
【発明の開示】
【発明が解決しようとする課題】
【０００５】
しかるに、挿入軸部２４において隣接する係止突部２５と係止突部２５との間に、係合爪片２９の先端部２９ａの内面が弾性接当する全露出軸部２６を設ける上記結び具では、たとえば、蟹識別用タグ等のように全体を小型化、軽量化するために挿入軸部２４を短くすることが要求されるが、このような場合、挿入軸部２４において係止突部２５と全露出軸部２６を交互に列設してあると、その全露出軸部２６群の長さ分だけ挿入軸部２４の軸長が増長するため小型・軽量化に不利になり、また係止突部２５のピッチも大きくなるため挿入軸部２４の係合孔部２２への挿入深さを段階的に微調整することが不可能であるという難点がある。
【０００６】
また、挿入軸部２４を係合孔部２２に挿入すると係止突部２５が複数個の係合爪片２９の全てを一斉に押し拡げて通過する上記結び具では、係止突部２５の全周面に全ての係合爪片２９が接触し、その接触面間で生じる摩擦抵抗は大きくなるため、挿入軸部２４を挿入するのに大きい操作力を要し、特に蟹識別用タグのような小型で手でつかみにくいものでは取扱い難くなるという問題もある。
【０００７】
本発明は、このような問題を解決するためになされたもので、その目的とするところは、上記のような、結び具本体の一端部に係合孔部を有するヘッド部を、他端部に前記係合孔部に挿入される挿入軸部をそれぞれ設けた合成樹脂製結び具において、挿入軸部への係止突部の設け方に工夫を凝らすことにより、挿入軸部の係合孔部への挿入操作力の軽減を図れるうえに、挿入軸部の反挿入方向への抜け止め機能を確保し得ながら挿入軸部の係止突部のピッチの縮小化、挿入軸部の軸長の短縮化、全体の小型・軽量化を図れる合成樹脂製結び具を提供することにある。
【課題を解決するための手段】
【０００８】
本発明は、結び具本体の一端部に係合孔部を有するヘッド部を、他端部に前記係合孔部に挿入される挿入軸部をそれぞれ設けており、前記挿入軸部の外周に、該挿入軸部の先端に向かって先細状でかつ後端面に段部を有する円錐形状の係止突部が複数個、軸方向前後に等間隔に並べて設けられ、前記係合孔部の内周に、先端面に前記係止突部の段部が衝当係合する係合面が形成された弾性変形自在な複数個の係合爪片が環状に所定間隔おきに配列されている合成樹脂製結び具において、前記係止突部は、挿入軸部の外周面一部を露出し且つ前記係合爪片の一つが挿通可能な幅を有する形の割溝部によって円周方向に数等分に分割する形に形成されて、複数個の分割係止突部と割溝部からなり、軸方向前後に隣接する前側の係止突部の分割係止突部及び割溝部と後ろ側の係止突部の分割係止突部及び割溝部との配置関係において前側の分割係止突部の後方に後ろ側の割溝部が、前側の割溝部の後方に後ろ側の分割係止突部がそれぞれ設けられる配置関係に設定されていることに特徴を有するものである。
【発明の効果】
【０００９】
本発明の上記構成の合成樹脂製結び具によれば、挿入軸部を係合孔部に挿入すると、分割係止突部がこれに向き合う係合爪片を押し拡げながら通過し、分割係止突部どうし間の割溝部はこれに向き合う係合爪片を押し拡げることなく擦り抜ける。したがって、割溝部が係合爪片を押し拡げることなく擦り抜けることで挿入軸部の挿入孔部への挿入抵抗を軽減でき、小さい挿入操作力で挿入軸部を係合孔部に容易に挿入できることになる。
【００１０】
また、分割係止突部が係合爪片を押し拡げながら通過すると直ちに該係合爪片が原形に弾性復元し、該係合爪片の後端面の係合面が分割係止突部の段部に落ち込み係合する。この係合により又は係合後挿入軸部に引抜き力が加えられたとき係合爪片の先端部の内面側が分割係止突部の後ろ側の割溝部内に露出する挿入軸部の外周面一部に面接触状態に弾性接当するため、安定確実な係合状態が得られ、これにより挿入軸部が反挿入方向に抜け出るのを確実に阻止することができる。
【００１１】
このように係合爪片の先端部の内面側が面接触状態に弾性接当する挿入軸部の外周面一部を露出する割溝部を、円周方向に隣接する分割係止突部と分割係止突部との間に設ける挿入軸部は、同じような機能を持つ全露出軸部を係止突部と係止突部との間に設ける従来の結び具の挿入軸部に比較して、係止突部のピッチを小さくすることができるため、挿入軸部の係合孔への挿入深さを微調整することができ、また挿入軸部の軸長の短縮化を図ることができて蟹識別用タグ等のように全体の小型・軽量化に有利である。
【発明を実施するための最良の形態】
【００１２】
本発明の好適な実施形態を図面に基づき説明する。図１は一実施例の合成樹脂製結び具の斜視図、図２は図１に示す合成樹脂製結び具のヘッド部の平面図、図３は図１に示す合成樹脂製結び具のヘッド部の底面図、図４は図２におけるＡ−Ａ線断面図、図５は図１に示す合成樹脂製結び具の挿入軸部の正面図、図６は図５におけるＢ−Ｂ線断面図、図７は図５におけるＣ−Ｃ線断面図、図８は図１の合成樹脂製結び具の使用状態例を示す正面図、図９は図１の合成樹脂製結び具のヘッド部への挿入軸部の挿入状態を示す断面図である。
【００１３】
図１において、合成樹脂製結び具１は全体がナイロンやポリプロピレン等の樹脂成型品であり、結び具本体２の一端部に係合孔部３を有するヘッド部４を、他端部に前記係合孔部３に挿入される挿入軸部５をそれぞれ設けている。
【００１４】
結び具本体２は、可撓性のバンド部６と、このバンド部６の中途部に一体に形成した、商品の種類や産地等を表示する表示部７により構成されている。バンド部６の内周には弾性変形自在な薄肉の緩衝部片８を一体に付設して商品に傷や変形を加えることなく結束できるようにしている。
【００１５】
図５〜７に示すように、挿入軸部５は横断面円形に形成され、この外周には複数個（図示例では４個）の係止突部９が軸方向前後に等間隔に並べて設けられる。各係止突部９は全体的に挿入軸部５の先端に向かって先細状でかつ後端面に段部１０を有する円錐形状に形成されるが、この場合各係止突部９は割溝部１１によって円周方向に数等分に分割する形に形成されて、段部１０を有する複数個（図示例では２個）の分割係止突部１２と、複数本（図示例では２本）の割溝部１１とからなっている。各割溝部１１は断面円形の挿入軸部５の外周面一部（円弧部）を露出し、かつ後述する係合爪片１３の一つが挿通可能な幅を有する形に形成されている。
【００１６】
軸方向前後に隣接する前側の係止突部９の分割係止突部１２及び割溝部１１と、後ろ側の係止突部９の分割係止突部１２及び割溝部１１との配置関係において、前側の分割係止突部１２の後方に後ろ側の割溝部１１が、前側の割溝部１１の後方に後ろ側の分割係止突部１２がそれぞれ設けられる配置関係に設定されている。なお、挿入軸部５と結び具本体２との連設部には括れ部１４を設けて、結び付け後の取り外し時には当該箇所を切離しやすいように形成している。
【００１７】
図２〜４に示すように、ヘッド部４は頂部１５を持つ円筒状に形成され、この内部に頂部１５から底部にわたって貫通状に形成される係合孔部３の内周には、係止突部９を構成する分割係止突部１２の個数と割溝部１１の本数を合わせた数と同じ数の複数個（図示例では４個）の係合爪片１３が環状に所定間隔おきに配列されている。各係合爪片１３はこれの基端部１３ａのみがヘッド部４に一体に連設され、先端部１３ｂが係合孔部３の径方向内方にかつヘッド部４の底部に向かって一定角度で傾くよう斜めに、かつ基端部１３ａを支点にして径方向に弾性変形自在に設けられている。各係合爪片１３の先端面には分割係止突部１２の段部１０に衝当係合する係合面１６が形成されている。
【００１８】
上記のように構成された合成樹脂製結び具において、例えば、図８のように、蟹の爪１７に結び具本体２のバンド部６を巻き付け、挿入軸部５の先端部をヘッド部４の頂部１５側から係合孔部３に挿入すると、分割係止突部１２がこれに向き合う係合爪片１３を押し拡げながら通過すると同時に、割溝部１１が係合爪片１３を押し拡げることなく擦り抜ける。分割係止突部１２が係合爪片１３を押し拡げながら通過すると、図９のように、直ちに該係合爪片１３が原形に弾性復元し、該係合爪片１３の係合面１６が分割係止突部１２の段部１０に落ち込み係合する。この係合により又は係合後挿入軸部５に引抜き力が加えられたとき、係合爪片１３の先端部１３ｂの内面側が分割係止突部１２の後ろ側の割溝部１１内に露出する挿入軸部５の外周面一部に面接触状態に弾性接当するため、安定確実な係合状態が得られ、これにより挿入軸部５が反挿入方向に抜け出るのを確実に阻止することができる。したがって、蟹の爪１７への結び具本体２のバンド部６の巻き付け状態を確保できる。
【００１９】
挿入軸部５の挿入時において、最初の段階の係止突部９の分割係止突部１２を係合爪片１３に係合させる状態では蟹の爪１７への結び付け力を不足するときは、更に挿入軸部５を係止突部９のピッチごとに順次段階的に深く挿入して各段階の係止突部９の分割係止突部１２を係合爪片１３に係合させて行って所望の結び付け力を得ることになるが、その際、係合爪片１３の先端部１３ｂの内面側が面接触状態に弾性接当する挿入軸部５の外周面一部を露出するための割溝部１１は各段階の係止突部９の周方向に隣接する分割係止突部１２と分割係止突部１２との間に設けることにより、係止突部９のピッチを小さくしてあるので、挿入軸部５の挿入深さを微調整できる。
【００２０】
結び付け後、結び具１を蟹の爪１７から取り外すには括れ部１４を切離することにより容易に取り外すことができる。
【産業上の利用可能性】
【００２１】
挿入軸部の係合孔部への挿入操作力の軽減を図れるうえに、挿入軸部の係止突部のピッチを小さくできることで対象物への結び付け力を微調整でき、軸長の短縮化、全体の小型・軽量化を図れるため、蟹識別用タグのみならず、そのほかの各種商品などにワンタッチで結び付けられる合成樹脂製結び具として利用価値大である。
【図面の簡単な説明】
【００２２】
【図１】本発明の一実施例の合成樹脂製結び具の斜視図である。
【図２】図１に示す合成樹脂製結び具のヘッド部の平面図である。
【図３】図１に示す合成樹脂製結び具のヘッド部の底面図である。
【図４】図２におけるＡ−Ａ線断面図である。
【図５】図１に示す合成樹脂製結び具の挿入軸部の正面図である。
【図６】図５におけるＢ−Ｂ線断面図である。
【図７】図５におけるＣ−Ｃ線断面図である。
【図８】図１の合成樹脂製結び具の使用状態例を示す正面図である。
【図９】図１の合成樹脂製結び具のヘッド部への挿入軸部の挿入状態を示す断面図である。
【図１０】従来例の荷物封緘具の正面図である。
【図１１】図１０の荷物封緘具のヘッド部への挿入軸部の挿入状態を示す断面図である。
【符号の説明】
【００２３】
１  合成樹脂製結び具
２  結び具本体
３  係合孔部
４  ヘッド部
５  挿入軸部
９  係止突部
１０  段部
１１  割溝部
１２  分割係止突部
１３  係合爪片
１６  係合面
【図１】
2005138880.tif 000003
【図２】
2005138880.tif 000004
【図３】
2005138880.tif 000005
【図４】
2005138880.tif 000006
【図５】
2005138880.tif 000007
【図６】
2005138880.tif 000008
【図７】
2005138880.tif 000009
【図８】
2005138880.tif 000010
【図９】
2005138880.tif 000011
【図１０】
2005138880.tif 000012
【図１１】
2005138880.tif 000013